(57)【要約】【課題】電源プラグを回動させることで収納溝から電源プラグを引き起こす構造のＡＣアダプタにおいて、感電への安全性を確保・向上させ、製品を小型にできるＡＣアダプタを提供することを目的とする。【解決手段】電源プラグ２１の栓刃２２の幅の中心２３を電源プラグの回動中心２４からずらして配設することで、栓刃２２に指などが触れることによる感電に対する安全性を確保・向上させると共に、製品小型化に寄与した電源プラグを提供することができる。【選択図】  図３
2004327224.tif 000002
【特許請求の範囲】
【請求項１】
ＡＣ商用電源と接続するためのダイレクトプラグインタイプの電源プラグを備え、前記ＡＣ商用電源と未接続時には電源プラグを回動させることにより、電源プラグを本体の外表面から出っ張らないように収納できることを特徴とするＡＣアダプタであり、前記電源プラグの回動中心と前記電源プラグの栓刃の幅寸法の中心線を電源プラグの回動方向にずらすことで、機器本体を小型にすることを可能にしたことを特徴とするＡＣアダプタ。
【請求項２】
前記電源プラグにはツバ部が配設されており、前記ツバ部によって、前記電源プラグに配設される栓刃から前記本体の外表面までの距離が４ｍｍ以上であることを特徴とする請求項１記載のＡＣアダプタ。
【発明の詳細な説明】
【０００１】
【発明の属する技術分野】
本発明は携帯型電子機器等に電源を供給するダイレクトプラグインタイプの電源プラグを備えた、ＡＣアダプタに関するものである。
【０００２】
【従来の技術】
携帯型電子機器等に電源を供給するＡＣアダプタにおいて、その多くが、携帯性を確保・向上するために、ＡＣ商用電源との接続をダイレクトプラグインタイプの電源プラグによって行なっている。
【０００３】
しかしながら、ＡＣ商用電源との接続を行なわない時には、一部に鋭利な部分もある角張った金属製の栓刃が機器本体の外郭部から突出していると、金属製の栓刃が他の機器を傷つける恐れがあり携帯に不向きであった。
【０００４】
上記の課題を解決するために、図４に示されるように機器本体３１に栓刃収納溝３３を配設し、電源プラグ３２を使用しない時に機器本体３１に配設された栓刃収納溝３３に電源プラグ３２を収納するようにした構造になっており、電源プラグ３２を収納状態から引き起こす時には、電源プラグ３２を回動させて引き起こすものが知られている（例えば、特許文献１参照）。
【０００５】
【特許文献１】
特開２００１−２７５２６４号公報（第２頁）
【０００６】
【発明が解決しようとする課題】
しかしながら、上記前述した従来技術において、プラグモールドの端から指などが電源プラグの栓刃に触れることよる感電に対する安全性を向上するため、電源プラグの栓刃からプラグモールドの端までの間にツバなどによって距離を確保することが望ましい。これによると、電源プラグの高さは栓刃の幅、及び、栓刃の周囲に配設されたツバの長さによって決まるため、電源プラグの高さに制約が生じることとなる。
【０００７】
更に電源プラグを収納するための収納部の深さにも制約を与えることになり、しいてはＡＣアダプタ本体の製品高さに大きな制約を与え、製品小型化の障害になるという課題があった。
【０００８】
本発明は、この様な課題を解決するものであり、電源プラグの栓刃への接触による感電に対する安全性を向上し、かつ製品を小型化できるＡＣアダプタを提供することを目的とする。
【０００９】
【課題を解決するための手段】
本発明は前述した課題を解決するために、電源プラグがＡＣアダプタ本体に配設された収納溝に収納されて、電源プラグを回動させることで収納溝から電源プラグを引き起こす構造のＡＣアダプタにおいて、電源プラグの栓刃の幅の中心を電源プラグの回動中心から電源プラグの回動方向にずらした位置に配設する。
【００１０】
また、指などが栓刃に触れることによる感電に対する安全性を向上するために、電源プラグの栓刃がＡＣアダプタ本体、及び電源プラグの外郭面から４ｍｍ以上の距離を確保する。さらに、電源プラグを収納溝に収納した時にＡＣアダプタ本体の外郭面から電源プラグが突出することなく収納できるよう、収納溝に傾斜を設ける。
【００１１】
以上のことから、電源プラグの栓刃の幅の中心を電源プラグの回動中心から電源プラグの回動方向にずらした位置に配設し、電源プラグにツバを配設することで、電源プラグの栓刃に指などが接触することによる感電に対する安全性を向上すると共に、小型のＡＣアダプタを提供することができる。
【００１２】
【発明の実施の形態】
以下、本発明の実施形態について、図１、図２を参照して説明する。
【００１３】
図１、図２に示すように、本発明の実施例であるＡＣアダプタ１０は、本体ケース１１と、ＡＣアダプタに電源を供給するための電源プラグ２１と、電源を所定の電圧、電流に変換する回路基板１２と、前記本体ケースから引き出される出力コード１３で構成される。
【００１４】
本体ケース１１には、電源プラグ２１を回動させた時に電源プラグの栓刃２２が収納できるように栓刃２２の位置に対応した位置に収納溝１４が配設されており、ＡＣアダプタ１０を使用しない場合には、電源プラグ２１を回動させて栓刃２２を収納溝１４に収納することができるようになっている。
【００１５】
また、図３に示されるように、使用時には電源プラグ２１を回動させて、栓刃２２を外側に向けて水平の状態まで自在に回動させることができるようになっている。
【００１６】
電源プラグ２１の栓刃２２は、栓刃の幅の中心２３を電源プラグ２１の回動中心２４から図３に示すようにずらした位置に配設されている。
【００１７】
電源プラグ２１の平面部２５にはツバ２６が配設されている。ツバ２６は、栓刃２２がＡＣ商用電源に差しこまれた状態で、栓刃２２にプラグモールド２７の端から指などが触れて感電しないようにするための距離を確保するために配設される。ツバ２６は感電に対する安全性を向上させるために、栓刃２２から４ｍｍ以上の距離を確保するように配設されることが望ましい。
【００１８】
更に、収納溝１４が配設される部位１５において、電源プラグ２１を本体水平方向に対して傾くように収納することで、部位１５に空間を確保することができ、回路基板１２を延長することにより、有効基板面積を確保することが可能となる。
【００１９】
このように、栓刃２２の幅の中心２３を電源プラグの回動中心２４からずらして配設することで、栓刃２２に指などが触れることによる感電に対する安全性を向上すると共に、製品を小型化することを可能とした。
【００２０】
【発明の効果】
上記実施の形態における説明から明らかなように、本発明によれば、電源プラグの栓刃の幅の中心を電源プラグの回動中心から電源プラグの回動方向にずらして配設し、栓刃からプラグモールド端までの距離を確保し、収納時の電源プラグを傾斜させることで、指などが電源プラグの栓刃に接触することによる感電に対する安全性を向上しつつ、電源プラグをＡＣアダプタ本体の外表面から出っ張ることなく収納することを可能とし、小型化したＡＣアダプタを提供することが可能となる。
【００２１】
以上、実施例について説明したが、本発明はこのような実施例に限定されるものではない。例えば電源プラグを回動する機構を有する機器において適用されるものである。
【図面の簡単な説明】
【図１】本発明の一実施例であるＡＣアダプタの斜視図
【図２】図１のＡ−Ａ断面図
【図３】本発明の一実施例であるＡＣアダプタの電源プラグの回動時を示す図
【図４】従来のＡＣアダプタの斜視図
【符号の説明】
１０  ＡＣアダプタ
１１  本体ケース
１２  回路基板
１３  出力コード
１４  収納溝
１５  収納溝が配設される部位
２１  電源プラグ
２２  栓刃
２３  栓刃の幅の中心
２４  電源プラグの回動中心
２５  平面部
２６  ツバ
２７  プラグモールド
３１  機器本体
３２  電源プラグ
３３  栓刃収納溝
【図１】
2004327224.tif 000003
【図２】
2004327224.tif 000004
【図３】
2004327224.tif 000005
【図４】
2004327224.tif 000006